(57)【要約】【課題】  ランプが収容された個装容器を複数包装することができ、しかも包装収容された個装容器を固定し、その抜け落ちを防止する。【解決手段】  開口面に平行な突条３２が内壁３３に複数条形成され且つ筒内に１個のランプ４１を保持した個装容器３０を複数個包装する角筒状のランプ包装容器１であって；前記個装容器３０の開口面が上面または底面となる状態で当該個装容器３０を挿抜するための開口部１１と；内壁に、前記個装容器３０の突条３２に交差する方向に連続または不連続に連なって形成された略線状の凸部１６と；を有する。【選択図】  図１
2005350076.tif 000002
【特許請求の範囲】
【請求項１】
筒内に１個のランプを保持した個装容器を複数個包装する角筒状のランプ包装容器であって；
前記個装容器の開口面が上面または底面となる状態で当該個装容器を挿抜するための開口部と；
内壁に、前記個装容器を保持する略線状の凸部と；
を有することを特徴とするランプ包装容器。
【請求項２】
開口面に平行な突条が壁に複数条形成され且つ筒内に１個のランプを保持した個装容器を複数個包装する角筒状のランプ包装容器であって；
前記個装容器の開口面が上面または底面となる状態で当該個装容器を挿抜するための開口部と；
内壁に、前記個装容器の突条に交差する方向に連続または不連続に連なって形成された略線状の凸部と；
を有することを特徴とするランプ包装容器。
【請求項３】
凸部は、前記個装容器の突条に直角に交差する方向に連続して延びる複数条の線からなることを特徴とする請求項２に記載のランプ包装容器。
【発明の詳細な説明】
【技術分野】
【０００１】
本発明は、１個のランプを保持した個装容器を包装するランプ包装容器に関するものである。
【背景技術】
【０００２】
従来、電球などのランプは、１個毎に個別包装する角筒状の個装容器に収納保持され、流通販売されている。この個装容器にあっては、開口面に平行な突条（或いは、凹凸）が内壁の複数条形成され、ランプの脱落防止を図っている。
【０００３】
上記に対し、複数のランプを収納する包装容器としては、例えば特許文献１に記載されたものがあり、２つの電球を互いに逆さにして角筒容器に収容し、電球間に設けた仕切り板に電球の球体部の一部を他方の電球側に突出させる切り抜き孔を形成して抜け落ち防止を図っている。
【特許文献１】登録実用新案公報第３０３２２８８号公報
【発明の開示】
【発明が解決しようとする課題】
【０００４】
しかしながら、上記の包装容器は、ランプが収容された個装容器を包装するものではなく、現在用いられている個装容器を複数収容保持した場合に、抜け落ちを防止可能なランプ包装容器の出現が求められている。
【０００５】
本発明は、ランプが収容された個装容器を複数包装することができ、しかも包装収容された個装容器を固定し、その抜け落ちを防止することができる機能を備えたランプ包装容器を提供することを目的としている。
【課題を解決するための手段】
【０００６】
本発明に係るランプ包装容器は、筒内に１個のランプを保持した個装容器を複数個包装する角筒状のランプ包装容器であって；前記個装容器の開口面が上面または底面となる状態で当該個装容器を挿抜するための開口部と；内壁に、前記個装容器を保持する略線状の凸部と；を有することを特徴とする。
【０００７】
本発明に係るランプ包装容器は、開口面に平行な突条が壁に複数条形成され且つ筒内に１個のランプを保持した個装容器を複数個包装する角筒状のランプ包装容器であって；前記個装容器の開口面が上面または底面となる状態で当該個装容器を挿抜するための開口部と；内壁に、前記個装容器の突条に交差する方向に連続または不連続に連なって形成された略線状の凸部と；を有することを特徴とする。
【０００８】
また本発明に係るランプ包装容器では、凸部が、前記個装容器の突条に直角に交差する方向に連続して延びる複数条の線からなることを特徴とする。
【発明の効果】
【０００９】
本発明に係るランプ包装容器は、内壁に、前記個装容器を保持する略線状の凸部が形成されているので、角筒状の容器内に収容された個装容器における壁を押すように働き、個装容器を挟持して固定し、その抜け落ちを防止する効果を有する。
【００１０】
また本発明に係るランプ包装容器は、内壁に、前記個装容器の突条に交差する方向に連続または不連続に連なって形成された略線状の凸部を有するので、個装容器の突条に対して、連続または不連続に連なって形成された凸部が交差するように配置され、突条と凸部が押し合って摩擦により個装容器を挟持して固定し、その抜け落ちを防止する効果を有する。
【００１１】
また本発明に係るランプ包装容器では、凸部が、前記個装容器の突条に直角に交差する方向に連続して延びる複数条の線からなるので、当該ランプ包装容器の側壁が撓むのを防止し、個装容器の抜け落ちを防止する。
【発明を実施するための最良の形態】
【００１２】
以下添付図面を参照してランプ包装容器の実施形態を説明する。各図において同一の構成要素には、同一の符号を付して重複する説明を省略する。図１に、組み立てた状態におけるランプ包装容器１の実施形態を示し、図２に、ランプ包装容器１の展開図を示す。このランプ包装容器１は、筒３１内に１個の電球等であるランプ４１を保持した個装容器３０を２ケース収容するものである。
【００１３】
個装容器３０における筒３１は、無底の角筒状をなしており、開口面と平行する突条３２が少なくとも内壁３３に複数条形成されている。この例では、突条３２は表面の紙とは異なる内壁３３を構成する紙に、図の横方向に延びる波形の凹凸を形成することにより得ることができ、一方の開口面から他方の開口面まで、凹凸が繰り返されている。ランプ４１を収容したときに、上記突条３２により構成される凹凸部分にランプ４１の球面が当接し、ランプ４１を固定し、抜け落ちを防止している。
【００１４】
実施形態に係るランプ包装容器１は、開口部１１を有し、その内ノリの高さはＨであり、その内ノリの幅はＷである。開口部１１における上記寸法は、高さＨ１で幅Ｗ１の個装容器３０を摺動させながら挿抜可能な大きさとなっている。また、ランプ包装容器１の長さＬは、個装容器３０の長さＬ１の２倍となっている。
【００１５】
ランプ包装容器１に個装容器３０が収容された状態において、上面から見たときのランプ４１の中央位置に対応して、ランプ包装容器１の天板１３には、抜き穴１２、１２が形成されている。
【００１６】
正面板１４と背面板１５の内壁側には、それぞれの側縁に平行する複数条の線からなる凸部１６が形成されている。つまり、内壁には、収容された個装容器３０の突条３２に交差する方向に連続する２本の線分による凸部１６が形成されている。２本の線分の位置は、図２に示す展開図に明らかな通り、抜き穴１２のセンタから正面板１４と底板１７との境界線へ垂直に延びる線分より外側（開口部１１側）に形成されている。内壁側を上面とした図２に示される展開図の状態のランプ包装容器１に対し、裏面となる側（組み立てた状態では、表面となる側）からプレス機によりプレスを行って線分状の凹部を形成することにより、内壁側に凸部１６が形成される。
【００１７】
天板１３と正面板１４との境界線、正面板１４と底板１７との境界線、底板１７と背面板１５との境界線及び背面板１５とノリシロ部１８との境界線には、直線上にスリットが離散存在するミシン目１９が形成されており、折り込み容易とされている。
【００１８】
図２のように構成された展開図の状態のランプ包装容器１について、ミシン目１９の部分を折り返し、接着剤を用いてノリシロ部１８にて接着を行い、図１に示すような角筒状のランプ包装容器１を得ることができる。
【００１９】
図１に示す角筒状のランプ包装容器１に対して、ランプ４１が収容保持された個装容器３０を図１に示す状態にて開口部１１から矢印Ｘに示す如く挿入する。２つの個装容器３０が収納されたとき、ランプ包装容器１の開口部１１の面には、個装容器３０の側面が位置付けられる。
【００２０】
上記ランプ４１が収容保持された個装容器３０を収納した状態では、ランプ包装容器１の内壁に形成された凸部１６が、個装容器３０の突条３２に直角に交差する方向に連続して延びる複数条の線からなっており、凸部１６が個装容器３０の側壁を押圧し、また凸部１６と突条３２とがクロスして押圧し摩擦を生じ、個装容器３０の抜け落ちを防止する。また、凸部１６が形成する線分が上下方向に延びており、凸部１６がリブの機能を有することから、当該ランプ包装容器１の側壁である正面板１４及び背面板１５が撓むことにより側壁がＯ字状に広がらぬように作用し、個装容器３０の抜け落ち防止に寄与する。
【００２１】
図３に、変形例に係るランプ包装容器１Ａを示す。この構成例にあっては、凸部１６Ａを表面板１４と背面板１５において、傾斜させて形成したものであり、個装容器３０の突条３２に交差する方向に連続形成された凸部１６Ａを備えることになる。
【００２２】
この構成例によっても、凸部１６Ａが個装容器３０の側壁を押圧し、また凸部１６Ａと突条３２とがクロスして押圧し摩擦を生じ、個装容器３０の抜け落ちを防止する。
【００２３】
なお、凸部１６（１６Ａ）の幅（太さ）を大きくし帯状とし、長さを長くし、或いは線分の数を多くして、接触面積を増すことが可能である。また、凸部１６（１６Ａ）を構成する線分は連続するものに限定されず、不連続に連なって形成されたものであってもよい。更に、線分はすべてが一定方向に延びるものに限られず、例えば、図１の例と図３の例とを組み合わせた線分により凸部を形成してもよい。勿論、線分の引き方(線分による模様)は図１の例と図３の例に限定されるものではない。以上から、凸部１６（１６Ａ）は、略線状をなしていることになる。
【図面の簡単な説明】
【００２４】
【図１】本発明実施形態に係るランプ包装容器の組み立てた状態と、当該ランプ包装容器に収容保持される個装容器を示す斜視図。
【図２】本発明実施形態に係るランプ包装容器の展開図。
【図３】本発明実施形態の変形例に係るランプ包装容器の組み立てた状態を示す斜視図。
【符号の説明】
【００２５】
１、１Ａ  ランプ包装容器
１１  開口部
１２  抜き穴
１３  天板
１４  正面板
１５  背面版
１６、１６Ａ  凸部
１７  底板
１８  ノリシロ
１９  ミシン目
３０  個装容器
３２  突条
４１  ランプ
【図１】
2005350076.tif 000003
【図２】
2005350076.tif 000004
【図３】
2005350076.tif 000005